(57)【要約】【課題】どのような使用環境においても逆流防止装置が確実に動作し、逆流防止装置が動作する際に音の発生もなく、低価格な空気調和機のドレン処理装置を提供すること。【解決手段】この発明に係る空気調和機のドレン処理装置は、空気調和機に接続されたドレンホースと、このドレンホースの先端に設けられ、屋外側に凸で、且つ屋外側に先細りの形状の弁部を有し、この弁部に空間スリットを形成した逆止弁を備えた逆流防止装置と、を具備したことを特徴とする。【選択図】        図２
2004353983.tif 000002
【特許請求の範囲】
【請求項１】
空気調和機に接続されたドレンホースと、
このドレンホースの先端に設けられ、屋外側に凸で、且つ屋外側に先細りの形状の弁部を有し、この弁部に空間スリットを形成した逆止弁を備えた逆流防止装置と、
を具備したことを特徴とする空気調和機のドレン処理装置。
【請求項２】
前記逆止弁の形状を円錐としたことを特徴とする請求項１記載の空気調和機のドレン処理装置。
【請求項３】
前記逆止弁は、硬度が４０から６０の軟質ゴムで構成したことを特徴とする請求項１記載の空気調和機のドレン処理装置。
【請求項４】
前記逆止弁の空間スリットを十字状に形成したことを特徴とする請求項１記載の空気調和機のドレン処理装置。
【請求項５】
前記逆止弁の空間スリットの幅を、０．５ｍｍ以上１ｍｍ以下としたことを特徴とする請求項１又は請求項４記載の空気調和機のドレン処理装置。
【請求項６】
前記逆止弁の空間スリットの透過面積は、該逆止弁の円筒部の透過面積の５％以上２０％以下としたことを特徴とする請求項１記載の空気調和機のドレン処理装置。
【発明の詳細な説明】
【０００１】
【発明の属する技術分野】
この発明は、空気調和機で発生したドレンを屋外に排水するためのドレンホース内を、例えば風圧等によりドレン水が逆流して異常音を発生するのを防止するドレン処理装置に関するものである。
【０００２】
【従来の技術】
通常空気調和機には、空気調和機で発生したドレンを屋外に排水するためのドレンホースが取り付けられている。このドレンホースが水平に取り付けられていると、ドレン水がドレンホース内に溜まりやすくなる。この状態で空気調和機が設置された室内にある換気扇を運転したり、高層マンション等で強風が吹くと、ドレンホース内を空気が流入し溜まったドレン水が弾けてポコポコと太鼓のような異音が発生することがある。場合によってはドレン水が逆流して空気調和機内部に流れ込み水漏れの原因になることもある。また、ドレンホース先端が下水溝の近くにあると異臭が室内に入り込むこともある。
【０００３】
これらの問題点を解決するために、ドレンホースの先端にドレン水の逆流を防止する逆流防止装置を取り付けている。逆流防止装置は、上端にドレンホースに対する装着口を形成し、内部に頚部（弁シート）を形成すると共に下方に開口部を形成した本体と、本体の内部に設けられた軽量浮玉と、浮玉を支持するストッパーとを備えている。
【０００４】
浮玉はその重量以上の風圧が作用すると浮上して頚部に下方から密着してこの頚部を閉止し、風圧が一定以下になると自重又はドレンの重力が作用して下方に落下することにより頚部を開放する。下方に落下した浮玉は、ストッパーに支持される（例えば、特許文献１参照）。
【０００５】
【特許文献１】
実願平５−１７６２７号（実開平６−７８７１７号）のマイクロフィルム
【０００６】
【発明が解決しようとする課題】
従来の空気調和機のドレン逆流防止装置は以上のように構成されているので、浮球が常に頸部かストッパーに接触しているため水垢等で固着して風圧による頸部の閉止や、浮球の自重又はドレンの重力による頸部の開放がされなくなる恐れがある。
【０００７】
また、浮球が動作したときに、頸部やストッパーに接触する際音が発生する恐れもある。
【０００８】
さらに、部品点数も本体と、浮球と、ストッパーとの３部品で構成されるため高価となる。
【０００９】
この発明は上記のような問題点を解消するためになされたもので、どのような使用環境においても逆流防止装置が確実に動作し、逆流防止装置が動作する際に音の発生もなく、低価格な空気調和機のドレン処理装置を提供することを目的とする。
【００１０】
【課題を解決するための手段】
この発明に係る空気調和機のドレン処理装置は、空気調和機に接続されたドレンホースと、このドレンホースの先端に設けられ、屋外側に凸で、且つ屋外側に先細りの形状の弁部を有し、この弁部に空間スリットを形成した逆止弁を備えた逆流防止装置と、を具備したことを特徴とする。
【００１１】
【発明の実施の形態】
実施の形態１．
以下、この発明の実施の形態の一例を図面を参照して説明する。
図１〜６は実施の形態１を示す図で、図１はドレン処理装置が設けられた空気調和機を示す図、図２はドレン処理装置を示す断面図、図３はドレン処理装置の逆止弁を示す断面図、図４はドレン処理装置の逆止弁閉止時を示す断面図、図５はドレン処理装置の逆止弁開時を示す断面図、図６はドレン処理装置の空間スリットの寸法及び空間スリットの比率（透過面積Ｂ／透過面積Ｃ）と音の大きさの関係を示す図である。
【００１２】
図１に示すように、空気調和機１には、空気調和機１の内部で発生したドレン水を屋外に排水するためのドレンホース２が取り付けられ、さらにドレンホース２の先端に、ドレン水の空気調和機１への逆流を防止する逆流防止装置３が取り付けられている。
【００１３】
図２、３により、ドレン処理装置及び逆流防止装置３の構成を説明する。ドレン処理装置はドレンホース２と逆流防止装置３とを有する。逆流防止装置３は、本体１０の内部に逆止弁１２を収納している。本体１０は、下部にドレンホース２を延長接続するための接続口１１が設けられ、上部に段付部１７を有する。
【００１４】
本体１０の内部に設けられる逆止弁１２は、硬度４０から６０の軟質ゴムで形成され、下部に円錐状に形成された弁部１３が設けられ、図３に示すように、弁部１３には十字状に空間スリット１４が開けられている。この十字状の空間スリット１４は、弁部１３の内側の圧力が外側の圧力より大きくなった場合にのみ開き流体の通過を可能にする。
但し、弁部１３は円錐形に限定さるものではなく、屋外側に凸で、屋外側に先細りの形状であればよい。また、空間スリット１４は十字状に限定されない。
【００１５】
この空間スリット１４の幅を示すＡ寸法は、０．５〜１ｍｍで形成され、かつ空間スリット１４による透過面積Ｂは逆止弁１２の円筒部１５での透過面積Ｃの５％以上２０％以下とする。
【００１６】
逆止弁１２の上部には、ドレンホース２に対する装着口１６が形成され、この装着口１６が本体１０の段付部１７に嵌合固定される。
【００１７】
次に動作について説明する。
空気調和機１と、空気調和機１が設置された室内の換気扇とを運転すると、ドレンホース２内を屋外から室内に空気が流れようとするが、図４に示すように、逆止弁１２の形状を屋外側に凸の円錐としたので、逆止弁１２の弁部１３が風圧により閉止し、空気は室内に流れないためドレンホース２内にドレン水が溜まっていても、ドレン水が弾けてポコポコと太鼓のような異音の発生はしない。
【００１８】
このとき弁部１３は、硬度４０から６０の軟質ゴムで形成されているので開閉による音の発生もない。
【００１９】
また、高層マンション等で強風が吹いても、逆止弁１２の弁部１３が風圧により閉止し、空気は室内に流れないためドレンホース２内にドレン水が溜まっていても、ドレン水が弾けてポコポコと太鼓のような異音の発生はしない。
【００２０】
また、ドレン処理装置の先端が下水溝の近くにあっても、屋外からの空気は室内に流入しないため、異臭が室内に入り込むこともない。
【００２１】
また、空気調和機１から発生するドレン水については、図５に示すように、ドレン水の自重により弁部１３が開くため従来通り屋外に排水される。
【００２２】
空気調和機１を長年使用していると、ドレン水によって発生する水垢等で弁部１３が固着する場合があるが、弁部１３には空間スリット１４が設けられているので固着してしまう恐れがない。
【００２３】
この空間スリット１４のＡ寸法は、あまり大きいと屋外から室内に空気が流入してしまうので、あまり大きくできない。逆にＡ寸法を小さくすると水垢で弁部１３が固着してしまうので、両方を満足する寸法が要求される。その両方を満足する寸法が０．５〜１．０ｍｍである。
【００２４】
図６は空間スリット１４のＡ寸法及び透過面積Ｂ／透過面積Ｃの比率を横軸、音の大きさを縦軸に表したグラフである。図に示すように、空間スリット１４のＡ寸法が大きくなると、音の大きさも大きくなる。音の大きさはある程度のレベルまでは人の耳では聞こえないので、グラフの可聴音レベルのラインより下になればよい。空間スリット１４のＡ寸法の水垢等での付着しない寸法は０．５ｍｍ以上であるため、０．５以上１ｍｍ以下が最適寸法になる。透過面積Ｂ／透過面積Ｃの比率で言えば５％以上２０％以下となる。
【００２５】
上述の実施の形態によれば、ドレンホース２に、硬度４０から６０の軟質ゴムで形成された逆止弁１２を装着し、逆止弁１２は下部に屋外側に凸の円錐形の弁部１３を有し、この弁部１３に十字状の空間スリット１４を開けたことにより、屋外から室内に空気が流れようとしても、円錐形の弁部１３が風圧により閉止し空気は室内に流れないため、ドレンホース２に水が溜まっていてもドレン水が弾けてポコポコと太鼓のような異音の発生はしない。
また、弁部１３は硬度４０から６０の軟質ゴムで形成されているので、開閉による音は小さい。
【００２６】
また、上述の実施の形態によれば、逆止弁１２の空間スリット１４の幅を０．５以上１ｍｍ以下にしたので、水垢等で弁部１３が固着することなく、屋外から室内へ空気が流れないためドレンホース２内に溜まったドレン水から異音が発生しない。
【００２７】
また、上述の実施の形態によれば、空間スリット１４による透過面積Ｂは逆止弁１２の円筒部１５での透過面積Ｃの５％以上２０％以下にしたので、水垢等で弁部１３が固着することなく、屋外から室内へ空気が流れないためドレンホース２内に溜まったドレン水から異音が発生しない。
【００２８】
【発明の効果】
この発明に係る空気調和機のドレン処理装置は、空気調和機に接続されたドレンホースと、このドレンホースの先端に設けられ、屋外側に凸で、且つ屋外側に先細りの形状の弁部を有し、この弁部に空間スリットを形成した逆止弁を備えた逆流防止装置と、を具備したことにより、どのような使用環境においても逆流防止装置が確実に動作し、低価格な空気調和機のドレン処理装置が得られる。
【図面の簡単な説明】
【図１】実施の形態１を示す図で、ドレン処理装置が設けられた空気調和機を示す図である。
【図２】実施の形態１を示す図で、ドレン処理装置を示す断面図である。
【図３】実施の形態１を示す図で、ドレン処理装置の逆止弁を示す断面図である。
【図４】実施の形態１を示す図で、ドレン処理装置の逆止弁閉止時を示す断面図である。
【図５】実施の形態１を示す図で、ドレン処理装置の逆止弁開時を示す断面図である。
【図６】実施の形態１を示す図で、ドレン処理装置の空間スリットの寸法及び空間スリットの比率（透過面積Ｂ／透過面積Ｃ）と音の大きさの関係を示す図である。
【符号の説明】
１  空気調和機、２  ドレンホース、３  逆流防止装置、１０  本体、１１  接続口、１２  逆止弁、１３  弁部、１４  空間スリット、１５  円筒部、１６装着口、１７  段付部。
【図１】
2004353983.tif 000003
【図２】
2004353983.tif 000004
【図３】
2004353983.tif 000005
【図４】
2004353983.tif 000006
【図５】
2004353983.tif 000007
【図６】
2004353983.tif 000008